【手続補正書】
【提出日】平成22年1月26日(2010.1.26)
【手続補正１】
【補正対象書類名】特許請求の範囲
【補正対象項目名】請求項５
【補正方法】変更
【補正の内容】
【請求項５】
読み取り書込み装置および／または別の非接触情報記憶装置と通信可能なアクティブ型非接触情報記憶装置であって、
メモリと、
制御部と、
前記制御部に結合されたスイッチと、
スレーブ・モードにおいて第１の周波数のＲＦ信号をキャリア・センスして検知するよう動作し、マスタ・モードにおいて前記第１の周波数と異なる第２の周波数のＲＦ信号をいつでも受信可能な連続的な受信待ち状態をとる受信部と、
スレーブ・モードにおいて情報要求信号を受信したときに前記第２の周波数の応答信号を送信し、マスタ・モードにおいて、前記第１の制御部の制御の下で送信期間において前記第１の周波数の情報要求信号を周期的に繰り返し送信し、その後の休止期間において不動作状態となる送信部と、
を具え、
前記制御部は、ユーザによって前記スイッチが付勢されたときに、前記送信部および前記受信部を一時的にマスタ・モードに移行させ、
前記制御部は、スレーブ・モードにおいて、
前記受信部を、前記送信期間および前記休止期間の各々よりも短い所定の周期で所定期間に前記第１の周波数のＲＦ信号をキャリア・センスするよう制御し、
前記受信部が或る所定期間に前記第１の周波数のＲＦ信号をキャリア・センスして検知したとき、前記受信部をさらに情報要求信号を受信するよう動作させ、
前記情報要求信号に応答して、前記送信部を、前記メモリに格納された情報を含む前記第２の周波数の応答信号を送信するよう動作させ、
前記制御部は、スレーブ・モードにおいて、
キャリア・センスのとき、前記或る所定期間において前記受信部を動作状態にし、かつ、前記送信部を不動作状態にし、
前記受信部が前記或る所定期間に前記第１の周波数のＲＦ信号をキャリア・センスしても検知されなかったとき、前記キャリア・センスの前記或る所定期間と次にキャリア・センスを行うべき前記所定期間との間の非キャリア・センス期間において、前記受信部および前記送信部を不動作状態を維持するよう制御することを特徴とする、
アクティブ型非接触情報記憶装置。
【手続補正２】
【補正対象書類名】明細書
【補正対象項目名】０００１
【補正方法】変更
【補正の内容】
【０００１】
本発明は、非接触で情報の読み取り書き込みが可能なアクティブ型の非接触情報記憶装置の読取りおよび書込みに関し、特に、マスタ・モードにおいて他のアクティブ型のＲＦＩＤタグを読み取ることができるアクティブ型のＲＦＩＤタグに関する。
【手続補正３】
【補正対象書類名】明細書
【補正対象項目名】００２７
【補正方法】変更
【補正の内容】
【００２７】
リーダ／ライタ装置３００は、ホスト・コンピュータ（図示せず）との間でデータを送受信する制御部３１０と、メモリ３１４と、制御部３１０から受け取ったタグＩＤ要求コマンド（ＣＭＤ）等を含む所定のフォーマットのデータを生成して所定の符号化方式に従って符号化して符号化データを生成するデータ生成部３２０と、データ生成部３２０から受け取ったベースバンド符号化データでキャリアを変調して周波数ｆ１のＲＦ信号を送信する送信部（ＴＸ）３３０と、周波数ｆ２またはｆ２１〜ｆ２ｎのＲＦ信号を受信するよう構成された受信部（ＲＸ）３５０と、受信部３５０から受け取った受信データを所定の符号化方式に従って復号してベースバンド復号データを生成し、その生成した復号データを制御部３１０に供給するデータ復号部３４０と、時間を測定し時刻を生成するタイマ３７４と、送信部３３０に結合された送信アンテナ（ＡＮＴ）３８２と、受信部３５０に結合された受信アンテナ（ＡＮＴ）３８４と、を具えている。送信部（ＴＸ）３３０の送信出力は例えば１００ｍＷである。代替構成として、アンテナ３８２と３８４は１つのアンテナであってもよい。
【手続補正４】
【補正対象書類名】明細書
【補正対象項目名】００８７
【補正方法】変更
【補正の内容】
【００８７】
項目１−３において、初期状態において、優先度レベル１のスレーブ・モードＳ１で動作するネーム・タグ１２が消失し、優先度レベル０のマスタ（Ｍ０）のパーソナル・コンピュータ３０、および優先度レベル２のスレーブ・モードＳ２で動作する携帯電話機１４が、互いの通信可能範囲内に存在する。その後も、パーソナル・コンピュータ３０（Ｍ０）は、他のデバイス（Ｓ１、Ｓ２）より高いその優先度レベル０に従って、マスタ・モードＭ０で動作し続ける。従って、パーソナル・コンピュータ３０（Ｍ０）および携帯電話機１４（Ｓ２）は初期状態の動作モードを維持する。
【手続補正５】
【補正対象書類名】明細書
【補正対象項目名】００８８
【補正方法】変更
【補正の内容】
【００８８】
項目１−４において、初期状態において、優先度レベル２のスレーブ・モードＳ２で動作する携帯電話機１４が消失し、優先度レベル０のマスタ（Ｍ０）のパーソナル・コンピュータ３０、および優先度レベル１のスレーブ・モードＳ１で動作するネーム・タグ１２が、互いの通信可能範囲内に存在する。その後も、パーソナル・コンピュータ３０（Ｍ０）は、他のデバイス（Ｓ１、Ｓ２）より高いその優先度レベル０に従って、マスタ・モードＭ０で動作し続ける。従って、パーソナル・コンピュータ３０（Ｍ０）およびネーム・タグ１２（Ｓ１）は初期状態の動作モードを維持する。
【手続補正６】
【補正対象書類名】明細書
【補正対象項目名】０１０３
【補正方法】変更
【補正の内容】
【０１０３】
項目３−７において、初期状態において、優先度レベル１０のスレーブ（Ｓ１０）の携帯電話機１４だけが存在する。優先度レベル０のマスタ（Ｍ０）のパーソナル・コンピュータ３０、および優先度レベル１のスレーブ／マスタ・デバイスとしてのネーム・タグ１２が携帯電話機１４の通信可能範囲内から消失している。その後も、携帯電話機１４は、スレーブ・モードＳ１０を維持する。
【手続補正７】
【補正対象書類名】明細書
【補正対象項目名】０１０８
【補正方法】変更
【補正の内容】
【０１０８】
マスタ・モードＭ２の時間期間Ｔｍにおいて、デバイスＤ２の送信部２３０は、図１９Ｅに示されているように周波数ｆ１のＲＦ信号の送信処理４２を行う。送信処理４２において、所定の期間Ｔｔ（例えば２秒）における連続する各タイムスロットにおいて、前述したように、タグＩＤ要求コマンド、デバイスＤ２のタグＩＤおよび優先度レベル等の情報を搬送するＲＦ信号が充分短い間隔で繰り返し送信される。デバイスＤ２の受信部２５０は、図１９Ｆに示されているように周波数ｆ２で連続的に受信待ち状態４６となる。所定の期間Ｔｔの送信処理４２は、所定期間Ｔｂの休止を挟んで複数の所定期間Ｔｔにおいて繰り返し行われる。その休止期間Ｔｂにおいて送信部２３０は制御部２１０によってディセーブルされる。この場合、より高い優先度１のデバイスＤ１の存在をそのタグＩＤによって検出したことに応答して、最初の所定の期間Ｔｔにおける送信処理４２の後の所定の期間Ｔｂの休止中に、デバイスＤ２はマスタ・モードＭ２からスレーブ・モードＳ２に切り換えられる。代替構成として、所定期間Ｔｍの経過後に、デバイスＤ２はマスタ・モードＭ２からスレーブ・モードＳ２に切り換えられてもよい。
【手続補正８】
【補正対象書類名】明細書
【補正対象項目名】０１１１
【補正方法】変更
【補正の内容】
【０１１１】
デバイスＤ２において、受信部２５０は、マスタ・モードＭ２の期間に周波数ｆ２の受信ＲＦ信号の受信処理４８を行う。受信処理４８は、そのＲＦ信号を受信し復調してタグＩＤ等のデータを含む符号化データを生成し、データ復号部２４０はそのデータを所定の符号化方式に従って復号し、タグＩＤおよび優先度レベル等のデータを取り出して制御部２１０に供給する。それによって、デバイスＤ２の制御部２１０は、デバイスＤ２より高い優先度レベル１のデバイスＤ１の存在を検出知し、制御部２１０のマスタ／スレーブ切換部２１５は、所定時間（例えば１つのキャリア・センス周期Ｔｃｓの時間）後、デバイスＤ２の動作モードをスレーブ・モードＳ２に移行させる。代替構成として、デバイスＤ２のマスタ／スレーブ切換部２１５は、マスタ・モードの時間期間Ｔｍの経過後にスレーブ・モードＳ２に移行してもよい。
【手続補正９】
【補正対象書類名】明細書
【補正対象項目名】０１２８
【補正方法】変更
【補正の内容】
【０１２８】
状態ＳＴ２（Ｍｉ）は、付近に自己より高い優先度レベルｊのマスタ・モードＭｊで動作するデバイスＤｊが存在しない場合に時間期間Ｔｍにおいてマスタ・モードＭｉで動作する状態を表す。時間期間Ｔｍは、複数のキャリア・センス周期Ｔｃｓの長さより長く、好ましくは時間期間Ｔｄ以下の長さであり、例えば１〜５秒の或る値であってもよい。Ｔｍは、典型的には、固定値Ｔｍ０とランダム値Ｒｎｄの和（Ｔｍ０＋Ｒｎｄ）の値である（Ｒｎｄは例えば０．１〜１秒のランダムな可変値である）。状態ＳＴ３（Ｓｉ）は、時間期間Ｔｍ経過後の時間期間Ｔｓにおいて付近に自己より高い優先度レベルｊのマスタ・モードＭｊで動作するデバイスＤｊが存在しない場合にスレーブ・モードＳｉで動作する状態を表す。時間期間Ｔｓは、複数のキャリア・センス周期Ｔｃｓの長さより長く、好ましくは時間期間Ｔｄ以下の長さであり、例えば１〜５秒の或る値であってもよい。Ｔｓは、典型的には、固定値Ｔs０とランダム値Ｒｎｄの和（Ｔｓ０＋Ｒｎｄ）の値である。キャリア・センス周期Ｔｃｓは、時間期間ＴｍおよびＴｓの各々より短く、例えば０．５秒である。時間期間Ｔｍは時間期間Ｔｓより短いのが好ましい。時間期間Ｔｄは、時間期間ＴｍおよびＴｓの各々と等しいかまたはそれより長い。
【手続補正１０】
【補正対象書類名】明細書
【補正対象項目名】０１２９
【補正方法】変更
【補正の内容】
【０１２９】
状態ＳＴ０（Ｓｉ）において、条件１「付近に自己より高い優先度レベルｊのマスタ・モードＭｊで動作するデバイスＤｊが存在すること」を満たす場合は、デバイスＤ１〜Ｄ９の各々は状態ＳＴ０を継続する。状態ＳＴ０（Ｓｉ）において、条件２「条件１が成立しない」という条件を満たす場合には、それは状態ＳＴ１（Ｓｉ）に移行する。このとき、デバイスＤ２〜Ｄ９の各々は、付近にマスタ・モードＭｊで動作するデバイスがいなくなったことを表す音響的なアラーム１をアラーム部２７６によって発生してもよい。
【手続補正１１】
【補正対象書類名】明細書
【補正対象項目名】０１３０
【補正方法】変更
【補正の内容】
【０１３０】
状態ＳＴ１（Ｓｉ）において、条件３「条件１が成立した後の時間期間Ｔｄ内である」を満たす場合は、デバイスＤ１〜Ｄ９の各々は状態ＳＴ１を継続する。状態ＳＴ１（Ｓｉ）において、条件４ａ「付近により高い優先度レベルｊのマスタ・モードＭｊで動作するデバイスＤｊが存在することを検出した」を満たす場合は、デバイスＤ１〜Ｄ９の各々は状態ＳＴ０（Ｓｉ）に戻る。状態ＳＴ１（Ｓｉ）において、条件４ｂ「付近に同じ優先度レベルｉのマスタ・モードＭｉで動作するデバイスＤｊが存在することを検出した」を満たす場合は、デバイスＤ１〜Ｄ９の各々は時間期間Ｔｄを所定時間Ｔｄ’（Ｔｄ’＜Ｔｄ）だけ延長して状態ＳＴ１を継続する。状態ＳＴ１（Ｓｉ）において、条件５「条件２が成立した後時間期間Ｔｄが経過し、より高いまたは同じ優先度レベルｊのマスタ・モードＭｊで動作する他のデバイスを検出しなかった」を満たす場合は、デバイスＤ１〜Ｄ９の各々は状態ＳＴ２（Ｓｉ）に移行する。状態ＳＴ１（Ｓｉ）において、付近に自己より低い優先度のマスタ・モードＭｊで動作する他のデバイスを検出しても条件５が満たされるのを待てばよい。この場合、他のデバイスは、状態ＳＴ２において図２３の条件８を満たし、状態ＳＴ０のスレーブ・モードに移行するであろう。
【手続補正１２】
【補正対象書類名】明細書
【補正対象項目名】０１３４
【補正方法】変更
【補正の内容】
【０１３４】
図２４Ａ〜２４Ｄにおいて、最初、マスタ・デバイスＤ０およびスレーブ／マスタ・デバイスＤ１〜Ｄ３が互いの通信可能範囲に位置し、マスタ・デバイスＤ０はマスタ・モードＭ０で動作し、スレーブ／マスタ・デバイスＤ１およびＤ２はスレーブ・モードＳ１で動作し、スレーブ／マスタ・デバイスＤ３はスレーブ・モードＳ２で動作する。マスタ・デバイスＤ０は優先度レベル０を有する。スレーブ／マスタ・デバイスＤ１およびＤ２は共に優先度レベル１を有する。デバイスＤ３は、優先度レベル２を有し、デバイスＤ０、Ｄ１およびＤ２より優先度レベルが低い。
【手続補正１３】
【補正対象書類名】図面
【補正対象項目名】図２０
【補正方法】変更
【補正の内容】
【図２０】
2008083871.tif 000001